(57)【要約】      （修正有）【課題】撮影素子の実装装置分野に関し、特に分離可能な回転円板式エフェクトレンズ・シートを提供する。【解決手段】エフェクトイメージング装置が設けられる回転ディスク１と、エフェクトイメージング装置とマッチイングする光透過ホールが設けられる固定シート２とを備え、前記回転ディスク１に位置決めリングが設け、前記固定シート２に位置決め片が設けられて、前記位置決めリング内及び前記位置決め片の上方にそれそれ磁気接続具が設置され、かつ前記位置決めリングが位置決め片と嵌め込んで接続されている。これにより、エフェクトレンズによる撮影する際の切り替え不便という技術課題を解決でき、アート効果がある写真を撮影でき、取り外しがやすく、持ち運びも簡単で、構造が簡易なので製造コストが低い利点がある。【選択図】図１
0003177336.tif 000002
【実用新案登録請求の範囲】
【請求項１】
エフェクトイメージング装置が設けられる回転ディスクと、エフェクトイメージング装置とマッチする光透過ホールが設けられる固定シートとを備える分離可能な回転円板式エフェクトレンズ・シートにおいて、
前記回転ディスクに位置決めリングが設けられ、
前記固定シートに位置決め片が設けられ、
前記位置決めリング内と前記位置決め片の上方に、それぞれ磁気接続具が設置され、前記位置決めリングと位置決め片とが、嵌め込んで接続されている
ことを特徴とする分離可能な回転円板式のエフェクトレンズ・シート。
【請求項２】
前記位置決めリング内に位置決め柱が、更に設けられ、
前記位置決め片上に位置決め柱とマッチイングする位置決めホールが設けられている
ことを特徴とする請求項１に記載のエフェクトレンズ・シート。
【請求項３】
前記回転ディスクは、ターンテーブルとターンテーブルベースを有し、
前記ターンテーブルが、回転軸を介して、前記ターンテーブルベースと接続され、前記ターンテーブルが、回転軸の周りに回動することができ、
前記ターンテーブルに複数の円周方向上の均一的な実装ホールが設けられ、前記実装ホール毎に、異なるエフェクト撮影ミラーが設置されており、
前記ターンテーブルベースに、イメージングホールが設けられている
ことを特徴とする請求項１または２に記載のエフェクトレンズ・シート。
【請求項４】
前記ターンテーブルベースに、槽が設けられ、
前記槽内に、バネと位置決めブロックが設けられ、
前記位置決めブロックが、前記バネの上方に位置され、
前記位置決めブロックの上端が、前記ターンテーブルの下端面に押し付けられ、
前記ターンテーブルの下端面に、前記位置決めブロックとマッチする位置決め槽が設置され、
前記位置決めブロックが、前記固定ブロックにより前記槽の上方に固定されている
ことを特徴とする請求項３に記載のエフェクトレンズ・シート。
【請求項５】
前記位置決めブロックは、鋼球である
ことを特徴とする請求項４に記載のエフェクトレンズ・シート。
【請求項６】
前記位置決め槽の本数と前記実装ホールの数とが、同じである
ことを特徴とする請求項４に記載のエフェクトレンズ・シート。
【請求項７】
前記ターンテーブル内に固定片が嵌め込んで、前記固定片が回転軸とねじによって固定・接続させる
ことを特徴とする請求項４に記載のエフェクトレンズ・シート。
【請求項８】
前記ターンテーブルの上端面に認識マークが設けられている
ことを特徴とする請求項４に記載のエフェクトレンズ・シート。
【請求項９】
前記ターンテーブルの円周面に複数のストライス状の槽が均一的に分布している
ことを特徴とする請求項４に記載のエフェクトレンズ・シート。
【請求項１０】
前記回転ディスクの形状が、円形、長円形、三角形、長方形、六角形のいずれかである
ことを特徴とする請求項１に記載のエフェクトレンズ・シート。
【考案の詳細な説明】
【技術分野】
【０００１】
本考案は、撮影素子の実装装置の分野に関し、特に分離可能な回転円板式エフェクトレンズ・シートに関する。
【背景技術】
【０００２】
日常生活でカメラを使って撮影を行う場合が多くあり、特に携帯電話が普及につれて、そして多くの携帯電話が撮影機能を搭載し、その他の携帯電子製品、たとえばＭＰ４も撮影の機能を搭載し、撮影がますます便利になっている。撮影する際に様々なアート効果がある写真を撮ることができるのが望まれている。カードカメラや撮影機能付き携帯電話やＭＰ４等では、高等な画像処理機能を持ってないので、撮影された写真をコンピューターで画像処理ソフトによる処理を行ってから、様々なアート効果がある写真を得ている。そして画像処理ソフトに関する使用方法もかなり煩雑である。
【０００３】
前記技術課題を解決するために、各種の撮影用のエフェクトレンズが開発され、エフェクトレンズを撮影機器のレンズ上に実装させ、撮影する際にアート効果がある写真を得ることができる。一つのエフェクトレンズが、一つのアートエフェクトに対応するため、異なるアート効果の写真を撮る時には、エフェクトレンズを切り替える必要があり、撮影に対して不便である。
本出願人は、２０１１年９月８日に特許出願番号及び発明の名称が「２０１１２０３３６７０２．９ 回転円板式エフェクトレンズ・シート」である考案を中国で出願した。同出願の装置は、ベースと回転ディスクとを備え、回転ディスクがベースと回転軸によって接続させ、回転ディスクが回転軸の周りに回動し、回転ディスクにエフェクトレンズ実装ホールが設けられ、かつエフェクトレンズ実装ホール内にエフェクトレンズを装設させ、ベースに透光ホールが設けるように構成されている。しかし、前記構造の回転円板式エフェクトレンズ・シートは、一体成形で、取り外し不可能で、持ち運ぶに不便で、かつ製造の複雑さに起因して製造コストが高く、市場競争には不利である。
【考案の概要】
【考案が解決しようとする課題】
【０００４】
従来技術に鑑み、本考案の目的は、分離可能な回転円板式エフェクトレンズ・シートを提供することである。エフェクトレンズを使って撮影する時に、切り替え不便という技術課題を解決でき、人々が自由に様々なアート効果がある写真を撮ることができ、取り外し簡単、持ち運ぶ容易で、構造が簡易で、製造コストが低くなる。
【課題を解決するための手段】
【０００５】
前記目的を達成するために、本考案が以下の技術思想で実現される。
【０００６】
本発明によれば、エフェクトイメージング装置が設けられる回転ディスクと、エフェクトイメージング装置とマッチイングする光透過ホールが設けられる固定シートとを備える分離可能な回転円板式エフェクトレンズ・シートであって、前記回転ディスクに位置決めリングが設けられ、前記固定シートに位置決め片が設けられて、前記位置決めリング内と前記位置決め片の上方にそれぞれ磁気接続具が設置され、前記位置決めリングと位置決め片とが嵌め込んで接続（連結）されている。
【０００７】
さらに、前記位置決めリング内に更に位置決め柱が設けられ、前記位置決め片上に位置決め柱とマッチイングする位置決めホールが設けられている。
【０００８】
前記回転ディスクは、ターンテーブルとターンテーブルベースを有して、前記ターンテーブルが、回転軸を介してターンテーブルベースに接続し、前記ターンテーブルが回転軸の周りに回動することができ、前記ターンテーブルに複数の円周方向上に均一的な実装ホールが設けられ、実装ホール毎に異なるエフェクト撮影ミラーが設置され、前記ターンテーブルベースにイメージングホールが設けられている。
【０００９】
具体的には、前記ターンテーブルベースに槽が設け、前記槽内にバネと位置決めブロックが設けられる。前記位置決めブロックがバネの上方に位置され、位置決めブロックの上端がターンテーブルの下端面に押し付けられて、ターンテーブルの下端面に、位置決めブロックとマッチイングする位置決め槽が設置されており、前記位置決めブロックが、固定ブロックにより、槽の上方に固定されている。
【００１０】
また、前記位置決めブロックは鋼球である。
【００１１】
また、前記位置決め槽の本数と前記実装ホールの数とが同じである。
【００１２】
また、前記ターンテーブル内に固定片が嵌め込まれ、前記固定片が、回転軸に、ねじによって固定・接続させる。
【００１３】
また、前記ターンテーブルの上端面に認識マークが設けられている。
【００１４】
また、前記ターンテーブルの円周面に、複数のストライス状の槽が、均一に分布している。
【００１５】
また、前記回転ディスクの形状は、円形である。
【考案の効果】
【００１６】
本考案の効果は以下の通りである。
【００１７】
本考案に係る分離可能な回転円板式エフェクトレンズ・シートは、エフェクトイメージング装置が設けられる回転ディスクと、エフェクトイメージング装置とマッチイングする光透過ホールが設けられる固定シートとを備え、前記回転ディスクに位置決めリングが設けられ、前記固定シートに位置決め片が設けられて、前記位置決めリング内と前記位置決め片の上方にそれぞれ磁気接続具が設置され、かつ前記位置決めリングと位置決め片とが嵌め込んで接続されている。
かくして、本考案は、エフェクトレンズによる撮影する際の切り替えが不便という技術課題を解決でき、ユーザが自由に様々なアート効果がある写真を撮ることができるとともに、取り外しがやすく、持ち運びも簡単し、かつ構造が簡易なので製造コストが低い。
【図面の簡単な説明】
【００１８】
以下、図面により本考案をさらに説明するが、本考案が図面による実施例に限定されるものではない。
【００１９】
【図１】本考案にかかる実施例１を示す斜視図である。
【図２】本考案に係る実施例１を示す分解図である。
【図３】本考案に係る実施例２を示す斜視図である。
【図４】本考案に係る実施例２を示す分解図である。
【図５】本考案の回転ディスクを示す斜視図である。
【図６】本考案の回転ディスクを示す平面視図である。
【図７】本考案の回転ディスクの分解断面図である。
【図８】本考案の回転ディスクを示す断面図である。
【考案を実施するための形態】
【００２０】
以下、実施例に参照して本考案をさらに説明する。
【００２１】
本発明の第１施例においては、図１と図２、図５〜８に示すように、エフェクトイメージング装置が設けられる回転ディスク１と、エフェクトイメージング装置とマッチイングする光透過ホール２１が設けられる固定シート２とを備える分離可能な回転円板式エフェクトレンズ・シートであって、前記回転ディスク１に位置決めリング１１が設けられ、前記固定シート２に位置決め片２２が設けられて、前記位置決めリング１１内と前記位置決め片２２の上方に、それぞれ磁気接続具３が設置され、前記位置決めリング１１と位置決め片２２とが嵌め込んで接続されている。
前記磁気接続具３は、位置決めリング１１内に磁石、位置決め片２２上に鉄片を設けて形成してもよく、または位置決めリング１１内に鉄片、位置決め片２２上に磁石を設けしてもよく、位置決めリング１１内と位置決め片２２上にそれぞれ磁石を設けてよい。
本実施例において、固定シート２の形状を携帯電話のハウジングの外形に合わせて、固定シート２の携帯電話のカメラに対応する位置に光透過ホール２１を開口させ、前記回転ディスク１を固定シート２上に設け、回転ディスク１にエフェクトイメージング装置が設けているから、該エフェクトイメージング装置が、光透過ホール２１を介して、携帯電話のカメラとマッチイングすることによって、エフェクトレンズによる撮影する際の切り替えが不便であるという技術課題を解決し、ユーザが自由に様々なアート効果がある写真を撮影できる。回転ディスク１の固定シート２と接触する一端面に位置決めリング１１が設けられ、固定シート２上の該位置決めリング１１に対応する位置に位置決め片２２が突設されており、位置決めリング１１内と位置決め片２２上にそれぞれ磁気接続具３が設けられているから、該互いとマッチイングする位置決めリング１１と位置決め片２２によって、回転ディスク１と固定シート２を磁気的接続させることができ、回転ディスク１と固定シート２の取り外しがやすくなって、持ち運びも簡単させ、上記構成の回転円板式エフェクトレンズ・シート構造が簡易なので、回転ディスク１と固定シート２が別々に製造され、型彫りがより簡易になって、製造コストが安くなる。
【００２２】
さらに、前記位置決めリング１１内に位置決め柱１２が設けられ、前記位置決め片２２上に位置決め柱１２とマッチイングする位置決めホール２３が設けられている。
本実施例において、位置決め柱１２が位置決めリング１１内に設けられて、位置決めホール２３が位置決め片２２上に設けられている為、位置決め柱１２を位置決めホール２３に挿入させて、さらなる位置決めを行うことができ、撮影時の安定性を向上させ、撮影効果が一層良くなる。
前記構成方式によれば、位置決め柱１２を位置決め片２２上に設けるのに対して、位置決めホール２３を位置決めリング１１内に設けてもよい。
【００２３】
好ましい実施の形態として、前記回転ディスク１は、ターンテーブル１ａとターンテーブルベース１ｂを有し、前記ターンテーブル１ａが、回転軸１３を介してターンテーブルベース１ｂと接続させ、前記ターンテーブル１ａが回転軸１３の周りに回動することができる。
前記ターンテーブル１ａに、複数の円周方向上に均一的な実装ホール１４が設けられ、実装ホール１４毎に異なるエフェクト撮影ミラー１５が設置され、前記ターンテーブルベース１ｂにイメージングホール１６が設けられている。
本実施例において、前記回転軸１３がターンテーブルベース１ｂ上に設けられ、前記ターンテーブル１ａに、回転軸１３とマッチイングする断面が「T」字状のスリット１７が更に設けられており，回転軸１３をスリット１７内挿入させ、ターンテーブル１ａとターンテーブルベース１ｂとを係合させ、前記ターンテーブル１ａ内にさらに固定片４を嵌め込んでいる。
該固定片４が、ねじ５によって回転軸１３と固定・接続されて、ターンテーブル１ａとターンテーブルベース１ｂの接続関係をより向上させ、撮影時の安定性を向上させるとともに、前記ターンテーブル１ａ上に複数の円周方向上に均一的な実装ホール１４が設けられ、実装ホール１４毎に異なるエフェクト撮影ミラー１５が設置させ、実装ホール１４に応じてターンテーブルベース１ｂ上にイメージングホール１６を設けている。
撮影する時に、固定シート２を携帯電話上に嵌設させ、回転ディスク１を固定シート２の上方に位置させ、ターンテーブル１ａを回転させることにより、エフェクト撮影ミラー１５が実装された実装ホール１４をイメージングホール１６に位置合わせし、携帯電話のカメラ位置を固定シート２上の光透過ホール２１と位置合わせている。このときに、所望のアート効果のある写真を撮影できる。ユーザが自分の好みに応じて、異なるエフェクト撮影ミラー１５を選択し、ターンテーブル１ａを回転させるだけで、対応する実装ホール１４をカメラと位置合わせができ、切り替えが便利で、自由に様々なアート効果ある写真を撮影できる。
【００２４】
前記ターンテーブルベース１ｂに槽１８が設けられ、前記槽１８内にバネ６と位置決めブロック７が設けて、前記位置決めブロック７がバネ６の上方に位置させ、位置決めブロック７の上端がターンテーブル１ａの下端面に押し付けて、ターンテーブル１ａの下端面に位置決めブロック７とマッチイングする位置決め槽１９が設置されている。前記位置決めブロック７が固定ブロック８により槽１８の上方に固定されている。
本実施例において、前記位置決めブロック７は鋼球であることが好ましい。ターンテーブル１ａを回転させ、実装ホール１４とイメージングホール１６とを整合させる時に、鋼球の上半部分が、バネ６の弾性力作用で位置決め槽１９内に食い込む。この時に、鋼球の上半部分と位置決め槽１９が、マッチイングし、ターンテーブル１ａをふさぐことなく、ターンテーブル１ａの回動を効果的に規制でき、撮影時に、エフェクト撮影ミラー１５が実装される実装ホール１４と携帯電話のカメラとの相対的な静止を保証でき、ターンテーブル１ａの回動による撮影された写真がボヤケるのを防止でき、エフェクト撮影ミラー１５を交換したい時に、ターンテーブル１ａを回転させ鋼球を押下させて位置決め槽１９から離し、ターンテーブル１ａの回動をスムーズにさせる。
【００２５】
さらに、前記位置決め槽１９の本数と前記実装ホール１４の数とは、同じであり、夫々のエフェクト撮影ミラー１５が実装される実装ホール１４とイメージングホール１６とを整合させる場合に、位置決め槽１９が位置制限の役割を果たす。
【００２６】
また更に、本考案に記載のターンテーブル１ａの円周面に、複数のストライス状の槽２０が均一に設けられ、該ストライス状の槽２０によって、ターンテーブル１ａの触覚と摩擦力を向上させ、撮影者によるターンテーブル１ａの回動が容易になる。
【００２７】
好ましい実施の形態として、前記ターンテーブル１ａの上端面に認識マーク３０が設けられる。該認識マーク３０によって撮影者が実装ホール１４内のエフェクト撮影ミラー１５を認識することができる。認識標札９は、ターンテーブル１ａの上端面に嵌め込んでもよい。
【００２８】
前記回転ディスク１の形状は円形である。当然ながら、前記回転ディスク１の形状が長円形、三角形、長方形、六角形や花びら形等の他の形状でもよい。
【００２９】
なお、本考案は、回転ディスク１の上方に設けられるカバーを更に含む。カバーが、回転ディスク１とを係合または螺合し、不使用時には、カバーを閉じて、エフェクト撮影ミラー１５の保護をする。
【００３０】
本実施例２は、実施例１と異なり、図３と図４、図５〜８に示すように、前記固定シート２をＳＬＲカメラやレンズ交換可能なデジタルカメラのレンズとマッチイングする形状に形成させ、ＳＬＲカメラやレンズ交換可能なデジタルカメラのレンズを簡単に固定・接続させることができ、固定シート２とＳＬＲカメラやレンズ交換可能なデジタルカメラのレンズを係合させると、固定シート２上の光透過ホール２１とＳＬＲカメラやレンズ交換可能なデジタルカメラのレンズが対応付けて、アート効果のある写真を撮影することができる。
【００３１】
本実施例のその他の内容が実施例１と同じなので、説明を省略する。
【００３２】
以上の内容が本考案の好適実施例に過ぎ、当業者であれば本考案の技術思想によって、具体的な実施の形態及び応用範囲に変更を加えることができ、本考案が本明細書に限制されるものではない。
【符号の説明】
【００３３】
１  回転ディスク、２  固定シート、１ａ  ターンテーブル、１ｂ  ターンテーブルベース、１１  位置決めリング、１２  位置決め柱、１３  回転軸、１４  実装ホール、１５  エフェクト撮影ミラー、１６  イメージングホール、１７  スリット、１８  槽、１９  位置決め槽、２０  ストライス状の槽、３０  認識マーク、２１  光透過ホール、２２  位置決め片、２３  位置決めホール、３  磁気接続具、４  固定片、５  ねじ、６  バネ、７  位置決めブロック、８  固定ブロック、９  認識標札
【図１】
0003177336.tif 000003
【図２】
0003177336.tif 000004
【図３】
0003177336.tif 000005
【図４】
0003177336.tif 000006
【図５】
0003177336.tif 000007
【図６】
0003177336.tif 000008
【図７】
0003177336.tif 000009
【図８】
0003177336.tif 000010